(57)【要約】【課題】  リンク元の記事の情報を画像を用いて把握でき、ウェブログページのコミュニケーションを円滑に行うことができるトラックバックシステム及びトラックバック方法を提供することにある。【解決手段】  インターネットを介して端末にウェブログページを実現・表示させるブログページ表示手段を有するサーバが、別のサイトにリンクを張った際に、リンク先の相手に対してリンクを張ったことを通知するトラックバック通知手段を備え、トラックバック通知手段でリンクを張ったという情報として、リンク元の記事のＵＲＬ、記事のタイトル、記事の要約及び記事の日付等に加え、記事に付随した画像が保存されたＵＲＬを含むファイル名を、リンク先に通知することを特徴とする。【選択図】図１
2007004300.tif 000002
【特許請求の範囲】
【請求項１】
インターネットを介して端末にウェブログページを実現・表示させるブログページ表示手段を有するサーバが、
別のサイトにリンクを張った際に、リンク先の相手に対してリンクを張ったことを通知するトラックバック通知手段を備え、
該トラックバック通知手段でリンクを張ったという情報として、リンク元の記事のＵＲＬ、該記事のタイトル、該記事の要約及び該記事の日付等に加え、該記事に付随した画像が保存されたＵＲＬを含むファイル名を、該リンク先に通知することを特徴とするトラックバックシステム。
【請求項２】
インターネットを介して端末にウェブログページを実現・表示させるブログページ表示手段を有するサーバが、
別のサイトにリンクを張った際に、リンク先の相手に対してリンクを張ったことを通知するトラックバック通知手段を備え、
該トラックバック通知手段でリンクを張ったという情報として、リンク元の記事のＵＲＬ、該記事のタイトル、該記事の要約及び該記事の日付等を該リンク先に通知すると共に、該記事に付随した画像のファイルを該リンク先に送ることを特徴とするトラックバックシステム。
【請求項３】
前記リンク先のサーバが、前記リンク元から通知されたリンク元の記事のＵＲＬ、該記事のタイトル、該記事の要約及び該記事の日付等のすくなくとも１つを端末に表示させると共に、前記リンク元から通知された該記事に付随した画像が保存されたＵＲＬを含むファイル名から該画像を呼び出して該端末に表示させるトラックバック表示手段を備えることを特徴とする請求項１記載のトラックバックシステム。
【請求項４】
前記リンク先のサーバが、前記リンク元から通知されたリンク元の記事のＵＲＬ、該記事のタイトル、該記事の要約及び該記事の日付等のすくなくとも１つを端末に表示させると共に、前記リンク元から受け取った該記事に付随した画像のファイルを、該端末に表示させるトラックバック表示手段を備えることを特徴とする請求項２記載のトラックバックシステム。
【請求項５】
インターネットを介して端末にウェブログページを実現・表示させるサーバが、
別のサイトにリンクを張った際に、
リンクを張ったという情報として、リンク元の記事のＵＲＬ、該記事のタイトル、該記事の要約及び該記事の日付等に加え、該記事に付随した画像が保存されたＵＲＬを含むファイル名を、該リンク先に通知することを特徴とするトラックバック方法。
【請求項６】
インターネットを介して端末にウェブログページを実現・表示させるサーバが、
別のサイトにリンクを張った際に、
リンクを張ったという情報として、リンク元の記事のＵＲＬ、該記事のタイトル及び該記事の要約を、該リンク先に通知すると共に、該記事に付随した画像のファイルを該リンク先に送ることを特徴とするトラックバック方法。
【請求項７】
前記リンク先のサーバが、前記リンク元から通知されたリンク元の記事のＵＲＬ、該記事のタイトル、該記事の要約及び該記事の日付等のすくなくとも１つを端末に表示させると共に、
前記リンク元から通知された該記事に付随した画像が保存されたＵＲＬを含むファイル名から該画像を呼び出して該端末に表示させることを特徴とする請求項５記載のトラックバック方法。
【請求項８】
前記リンク先のサーバが、前記リンク元から通知されたリンク元の記事のＵＲＬ、該記事のタイトル、該記事の要約及び該記事の日付等のすくなくとも１つを端末に表示させると共に、
前記リンク元から受け取った該記事に付随した画像のファイルを、該端末に表示させることを特徴とする請求項６記載のトラックバック方法。
【発明の詳細な説明】
【技術分野】
【０００１】
本発明は、ウェブログページを用いてコミュニケーションを行うトラックバックシステム及びトラックバック方法に関する。
【背景技術】
【０００２】
従来より、インターネット上に、日々更新される日記的なウェブサイトであるウェブログページが設けられている。このウェブログページは、従来の単に日記を掲載するだけのウェブサイトとは異なり、専門的な内容についての意見表明や、他のウェブサイトの著者と議論したりする形式が多い。そして、ウェブログページは、時系列にページの自動生成する機能や他のサイトの記事との連携機能やコメント機能などを備え、ウェブログを略したブログという名称でも呼ばれている。
【０００３】
この他のサイトの記事との連携機能はトラックバックと言われる。トラックバックは、リンク元サイトに「このような記事からリンクを張った」という情報を通知する仕組みで、リンク元の記事のＵＲＬ、記事のタイトル、記事の要約が送信される。
尚、この先行技術は、文献公知に係るものでないため、記載すべき先行技術文献情報はない。
【発明の開示】
【発明が解決しようとする課題】
【０００４】
しかしながら、従来のトラックバックでは、リンク先の相手に対してリンクを張ったことを通知する情報が文字情報だけであったことから、記事の内容をイメージとして把握できず、コミュニケーションの手段としては不十分であった。
【０００５】
本発明は、このような事情に鑑みてなされたもので、リンク元の記事の情報を画像を用いて把握でき、ウェブログページのコミュニケーションを円滑に行うことができるトラックバックシステム及びトラックバック方法を提供することにある。
【課題を解決するための手段】
【０００６】
請求項１記載のトラックバックシステムは、インターネットを介して端末にウェブログページを実現・表示させるブログページ表示手段を有するサーバが、別のサイトにリンクを張った際に、リンク先の相手に対してリンクを張ったことを通知するトラックバック通知手段を備え、トラックバック通知手段でリンクを張ったという情報として、リンク元の記事のＵＲＬ、記事のタイトル、記事の要約及び記事の日付等に加え、記事に付随した画像が保存されたＵＲＬを含むファイル名を、リンク先に通知することを特徴とする。
【０００７】
請求項２記載のトラックバックシステムは、インターネットを介して端末にウェブログページを実現・表示させるブログページ表示手段を有するサーバが、別のサイトにリンクを張った際に、リンク先の相手に対してリンクを張ったことを通知するトラックバック通知手段を備え、トラックバック通知手段でリンクを張ったという情報として、リンク元の記事のＵＲＬ、記事のタイトル、記事の要約及び記事の日付等をリンク先に通知すると共に、記事に付随した画像のファイルをリンク先に送ることを特徴とする。
【０００８】
請求項３記載のトラックバックシステムは、リンク先のサーバが、リンク元から通知されたリンク元の記事のＵＲＬ、記事のタイトル、記事の要約及び記事の日付等のすくなくとも１つを端末に表示させると共に、リンク元から通知された記事に付随した画像が保存されたＵＲＬを含むファイル名から画像を呼び出して端末に表示させるトラックバック表示手段を備えることを特徴とする。
【０００９】
請求項４記載のトラックバックシステムは、リンク先のサーバが、リンク元から通知されたリンク元の記事のＵＲＬ、記事のタイトル、記事の要約及び記事の日付等のすくなくとも１つを端末に表示させると共に、リンク元から受け取った記事に付随した画像のファイルを、端末に表示させるトラックバック表示手段を備えることを特徴とする。
【００１０】
請求項５記載のトラックバック方法は、インターネットを介して端末にウェブログページを実現・表示させるサーバが、別のサイトにリンクを張った際に、リンクを張ったという情報として、リンク元の記事のＵＲＬ、記事のタイトル、記事の要約及び記事の日付等に加え、記事に付随した画像が保存されたＵＲＬを含むファイル名を、リンク先に通知することを特徴とする。
【００１１】
請求項６記載のトラックバック方法は、インターネットを介して端末にウェブログページを実現・表示させるサーバが、別のサイトにリンクを張った際に、リンクを張ったという情報として、リンク元の記事のＵＲＬ、記事のタイトル及び記事の要約を、リンク先に通知すると共に、記事に付随した画像のファイルをリンク先に送ることを特徴とする。
【００１２】
請求項７記載のトラックバック方法は、リンク先のサーバが、リンク元から通知されたリンク元の記事のＵＲＬ、記事のタイトル、記事の要約及び記事の日付等のすくなくとも１つを端末に表示させると共に、リンク元から通知された記事に付随した画像が保存されたＵＲＬを含むファイル名から画像を呼び出して端末に表示させることを特徴とする。
【００１３】
請求項８記載のトラックバック方法は、リンク先のサーバが、リンク元から通知されたリンク元の記事のＵＲＬ、記事のタイトル、記事の要約及び記事の日付等のすくなくとも１つを端末に表示させると共に、リンク元から受け取った記事に付随した画像のファイルを、端末に表示させることを特徴とする。
【発明の効果】
【００１４】
請求項１の発明によれば、リンクを張ったという情報として、リンク元の記事のＵＲＬ、記事のタイトル、記事の要約及び記事の日付等に加え、記事に付随した画像が保存されたＵＲＬを含むファイル名を、リンク先に通知することから、リンク元の記事の情報を画像を用いて把握でき、ウェブログページのトラックバックによるコミュニケーションを円滑に行うことができる。
【００１５】
請求項２の発明によれば、リンクを張ったという情報として、リンク元の記事のＵＲＬ、記事のタイトル、記事の要約及び記事の日付等をリンク先に通知すると共に、記事に付随した画像のファイルをリンク先に送ることから、リンク元の記事の情報を画像を用いて把握でき、ウェブログページのトラックバックによるコミュニケーションを円滑に行うことができる。
【００１６】
請求項３の発明によれば、リンク元から通知された記事に付随した画像が保存されたＵＲＬを含むファイル名から画像を呼び出して端末に表示させることから、端末の操作者がリンク元の記事の情報を画像を用いて把握でき、ウェブログページのトラックバックによるコミュニケーションを円滑に行うことができる。
【００１７】
請求項４の発明によれば、リンク元から受け取った記事に付随した画像のファイルを、端末に表示させることから、端末の操作者がリンク元の記事の情報を画像を用いて把握でき、ウェブログページのトラックバックによるコミュニケーションを円滑に行うことができる。
【００１８】
請求項５の発明によれば、リンクを張ったという情報として、リンク元の記事のＵＲＬ、記事のタイトル、記事の要約及び記事の日付等に加え、記事に付随した画像が保存されたＵＲＬを含むファイル名を、リンク先に通知することから、リンク元の記事の情報を画像を用いて把握でき、ウェブログページのトラックバックによるコミュニケーションを円滑に行うことができる。
【００１９】
請求項６の発明によれば、リンクを張ったという情報として、リンク元の記事のＵＲＬ、記事のタイトル、記事の要約及び記事の日付等をリンク先に通知すると共に、記事に付随した画像のファイルをリンク先に送ることから、リンク元の記事の情報を画像を用いて把握でき、ウェブログページのトラックバックによるコミュニケーションを円滑に行うことができる。
【００２０】
請求項７の発明によれば、リンク元から通知された記事に付随した画像が保存されたＵＲＬを含むファイル名から画像を呼び出して端末に表示させることから、端末の操作者がリンク元の記事の情報を画像を用いて把握でき、ウェブログページのトラックバックによるコミュニケーションを円滑に行うことができる。
【００２１】
請求項８の発明によれば、リンク元から受け取った記事に付随した画像のファイルを、端末に表示させることから、端末の操作者がリンク元の記事の情報を画像を用いて把握でき、ウェブログページのトラックバックによるコミュニケーションを円滑に行うことができる。
【発明を実施するための最良の形態】
【００２２】
以下、本発明の形態について図面を参照しながら具体的に説明する。本発明の形態におけるトラックバックシステムは、インターネットを介して、ウェブログページを用いてコミュニケーションを行うためのものである。
【実施例１】
【００２３】
図１は、本発明に係るトラックバックシステムの第１の実施例を示す構成図である。図２は、同トラックバックシステムのトラックバックのカテゴリの表示を示す説明図である。図３は、同トラックバックシステムのトラックバックの編集画面を示す説明図である。図４は、同トラックバックシステムのトラックバックの一覧を示す説明図である。図５は、同トラックバックシステムのトラックバックの他の形式の一覧を示す説明図である。
【００２４】
本実施例のトラックバックシステム１は、電気通信回線でありインターネットを形成する通信回線５と、通信回線５に接続されたサーバ１０と、同じく通信回線５に接続された端末２０〜２２とで構成されている。通信回線５は、インターネットに常時又は断続的に接続可能な回線である、ＷＡＮ（Wide Area Network）、ＡＤＳＬ（Asymmetric Digital
Subscriber Line）回線、専用線等の他、ＬＡＮ（Local Area Network）を経由した接続も含まれる。また、通信回線５は、有線に限られるものではなく、無線により接続されるものであってもよい。
【００２５】
サーバ１０は、通信回線５によりインターネットに接続されたウェブサーバであり、ウェブブラウザで閲覧するコンテンツを提供するコンピュータである。サーバ１０は、後述するブログページ表示手段１１、トラックバック通知手段１２、トラックバック表示手段１３等をソフトウェアにより実現可能に構成されている。端末２０〜２２は、通信回線５によりインターネットに接続されたコンピュータや携帯電話やＰＤＡ（Personal Digital Assistants）等のコンテンツを閲覧し、各種情報を入力可能なものである。
【００２６】
サーバ１０で実現されるブログページ表示手段１１は、通信回線５（インターネット）を介してサーバ１０にアクセスした端末２０〜２２に、ウェブログページを実現・表示させるものである。トラックバック通知手段１２は、別のウェブログページにリンクを張った際に、リンク先の相手に対してリンクを張ったことを通知するものである。トラックバック表示手段１３は、リンク元から通知されたリンク元の記事のＵＲＬ、記事のタイトル、記事の要約等を端末２０〜２２に表示させるものである。
【００２７】
次に、トラックバックシステム１の動作を説明する。まず、端末２０〜２２の操作者は、サーバ１０にアクセスして、ブログページ表示手段１１の各種設定を行い自らのウェブログページを構築し、通信回線５（インターネット）を介して他の端末２０〜２２の操作者がウェブログページにアクセスできる状態とする。アクセスとは、構築されたウェブログページを端末２０〜２２上に表示することである。以下の説明では、例えば、ウェブログページを構築したのが端末２０の操作者である操作者Ａで、端末２１，２２の操作者が操作者Ｂ，Ｃとして説明を行う。また、操作者Ｂ，Ｃもそれぞれウェブログページを構築可能であり、操作者Ａの構築したウェブログページをウェブログページＡ、操作者Ｂの構築したウェブログページをウェブログページＢ、操作者Ｃの構築したウェブログページをウェブログページＣとする。尚、図１の構成では、操作者Ａ，Ｂ，Ｃが構築するウェブログページＡ，Ｂ，Ｃは、いずれもサーバ１０のブログページ表示手段１１により実現・表示されるものとする。
【００２８】
また、本実施例のブログページ表示手段１１は、各ウェブログページＡ，Ｂ，Ｃを実現・表示させる機能に加え、図２に示すように、各ウェブログページＡ，Ｂ，Ｃからのトラックバックをカテゴリ毎にトラックバックを受け付ける機能を有している。
【００２９】
次に、操作者Ａが、自らのウェブログページＡの記事を多くの操作者に読んでもらい、コミュニケーションを行うために、図２のカテゴリページにトラックバックを行う方法を説明する。まず、操作者Ａは、ブログページＡに記事を記載することになる。記載するためには、図３に示すように、ブログページ表示手段１１の編集画面を呼び出し、この画面で具体的な記事の内容を書き込む。具体的には、図３に示すように、記事（図３では「テーマ」と記載）のタイトルであるお題、記事の内容であり要約ともいえる概要を入力すると共に、記事の内容に付随した画像を指定する。また、サーバ１０の運営者によって予め用意されたカテゴリから、自分の記事に関連するカテゴリを選択する。
【００３０】
そして、図３に示す編集画面で記事に関する内容を入力し、サーバ１０に送ると、ブログページ表示手段１１により、記事の内容が操作者Ａによって構築されたブログページＡに表示されることになる。このとき、記事の内容に付随するとして指定された画像は、サーバ１０に送られ、記事の内容等と共にサーバ１０に保存される。
【００３１】
また、それと同時に、トラックバック通知手段１２が、図２に示すカテゴリ毎のサイトにトラックバックを送ることになる。トラックバック通知手段１２は、リンクを張ったという情報として図２のサイトにリンク元のＵＲＬ、記事のタイトル、記事の要約及び記事の日付等に加え、記事の内容に付随するとして指定された画像が保存されたＵＲＬを含むファイル名を通知する。尚、記事の内容に付随するとして指定された画像が保存されたＵＲＬを含むファイル名を通知する代わりに、画像のファイルそのものを図２のサイトに送ってもよい。
【００３２】
通知を受け取った図２のサイトは、トラックバック表示手段１３を用いて、図４に示すように、トラックバックの一覧を表示する。図４に示す例では、トラックバックの一覧として、各記事に付随する画像と記事のタイトルのみを表示している。
【００３３】
図４に対し、図５に示す例では、トラックバックの一覧として、各記事に付随する画像と記事のタイトルに加え、記事のタイトル、記事の要約及び記事の日付を表示している。図４及び図５に共通する機能として、通知されているリンク元のＵＲＬを、各記事に付随する画像や記事のタイトル等に関連付けることにより、その画像等をクリックすると、トラックバックを送った元の記事にジャンプすることができる。
【００３４】
以上のように、リンクを張ったという情報として、リンク元の記事のＵＲＬ、記事のタイトル、記事の要約及び記事の日付等に加え、記事に付随した画像が保存されたＵＲＬを含むファイル名をリンク先に通知したり、記事に付随した画像のファイルをリンク先に送ることで、リンク元の記事の情報を画像を用いて把握でき、ウェブログページのトラックバックによるコミュニケーションを円滑に行うことができる。
【実施例２】
【００３５】
図６は、本発明に係るトラックバックシステムの第２の実施例を示す構成図である。図７は、同トラックバックシステムのトラックバックの編集画面を示す説明図である。図６のトラックバックシステム２は、通信回線５で接続された２つのサーバシステム７，８で形成されている。尚、図６では２つのサーバシステム７，８しか記載していないが、２つに限られるものではない。このサーバシステム７，８は、それぞれサーバ１０と端末２０，２１、サーバ１５と端末２３，２４とで構成されている。通信回線５、サーバ１０及び端末２０，２１は、実施例１と同様のものである。
【００３６】
また、サーバ１５はサーバ１０と同様なもので、ブログページ表示手段１６、トラックバック通知手段１７、トラックバック表示手段１８等をソフトウェアにより実現可能に構成されている。そして、ブログページ表示手段１６、トラックバック通知手段１７、トラックバック表示手段１８の機能は、実施例１記載のブログページ表示手段１１、トラックバック通知手段１２、トラックバック表示手段１３と同様である。
【００３７】
次に、トラックバックシステム２の動作を説明する。端末２０や端末２１の操作者が、サーバ１０のブログページ表示手段１１の各種設定を行い自らのウェブログページを構築し、通信回線５（インターネット）を介して他の端末２０〜２４の操作者がウェブログページにアクセスできる状態とすることは実施例１と同様である。すなわち、端末２０〜２４の各操作者は、それぞれ他人の構築したウェブログページを閲覧することが可能である。
【００３８】
ここで、例えば、ウェブログページを構築したのが端末２０の操作者である操作者Ａで、端末２１，２３，２４の操作者が操作者Ｂ，Ｄ，Ｅとして説明を行う。また、操作者Ｂ，Ｄ、Ｅもそれぞれウェブログページを構築可能であり、操作者Ａの構築したウェブログページをウェブログページＡ、操作者Ｂの構築したウェブログページをウェブログページＢ、操作者Ｄの構築したウェブログページをウェブログページＤ、操作者Ｅの構築したウェブログページをウェブログページＥとする。尚、図６の構成では、操作者Ａ，Ｂが構築するウェブログページＡ，Ｂは、いずれもサーバ１０のブログページ表示手段１１により実現・表示されるものとする。また、図６の構成では、操作者Ｄ，Ｅが構築するウェブログページＤ，Ｅは、いずれもサーバ１５のブログページ表示手段１６により実現・表示されるものとする。
【００３９】
そして、例えば、操作者Ｄが自らのウェブログページＤの記事から操作者ＡのウェブログページＡの記事にリンクを張ってトラックバックを行いたい場合を説明する。この場合、まず、操作者Ｄはサーバ１５のブログページ表示手段１６を用いて、新規の記事の編集を行う。その編集画面は、図７に示すように、この画面で具体的な記事の内容を書き込む。具体的には、図７に示すように、記事のタイトル、記事の内容であり本文等を入力すると共に、記事の内容に付随した画像を指定する。また、トラックバック先のＵＲＬに、トラックバックを送りたいウェブログページの記事のトラックバックＵＲＬを入力する。この例の場合は、ウェブログページＡの所望の記事のトラックバックＵＲＬである。
【００４０】
そして、図７に示す編集画面で記事に関する内容を入力し、サーバ１５に送ると、ブログページ表示手段１６により、記事の内容が操作者Ｄによって構築されたブログページＤに表示されることになる。このとき、記事の内容に付随するとして指定された画像は、サーバ１５に送られ、記事の内容等と共にサーバ１５に保存される。
【００４１】
また、それと同時に、トラックバック通知手段１７が、図７の編集画面で入力したトラックバック先のＵＲＬに対してトラックバックを送ることになる。トラックバック通知手段１７は、リンクを張ったという情報としてウェブログページＤのこの記事であるリンク元のＵＲＬ、記事のタイトル、記事の要約及び記事の日付等に加え、記事の内容に付随するとして指定された画像が保存されたＵＲＬを含むファイル名を通知する。尚、記事の内容に付随するとして指定された画像が保存されたＵＲＬを含むファイル名を通知する代わりに、画像のファイルそのものを送ってもよい。
【００４２】
通知を受け取ったサーバ１０は、トラックバック表示手段１３を用いて、リンクが張られたウェブログページＡの記事にトラックバックを表示する。トラックバックの表示の例としては、リンク元の記事に付随する画像と記事のタイトルのみであったり、各記事に付随する画像と記事のタイトルに加え、記事のタイトル、記事の要約及び記事の日付を表示してもよい。ウェブログページＡで、通知されているリンク元のＵＲＬを、各記事に付随する画像や記事のタイトル等に関連付けることにより、その画像等をクリックすると、トラックバックを送った元のブログページＤにジャンプすることができる。
【００４３】
尚、ウェブログページＡとウェブログページＤとの間の画像を伴うトラックバックについて説明したが、他のウェブページ間でのトラックバックも同様に可能である。例えば、同じサーバ１０内でのウェブログページＡとウェブログページＢや、ウェブログページＢからウェブログページＥに対してトラックバックを通知することも可能である。
【００４４】
以上のように、リンク元から通知された記事に付随した画像が保存されたＵＲＬを含むファイル名から画像を呼び出したり、リンク元から受け取った記事に付随した画像のファイルそのものを端末２０〜２４に表示させることから、端末２０〜２４の操作者がリンク元の記事の情報を画像を用いて把握でき、ウェブログページのトラックバックによるコミュニケーションを円滑に行うことができる。
【産業上の利用可能性】
【００４５】
以上のように、本発明によれば、リンク元の記事の情報を画像を用いて把握でき、トラックバックによるコミュニケーションを円滑に行うことを目的とするウェブログページに適用できる。
【図面の簡単な説明】
【００４６】
【図１】本発明に係るトラックバックシステムの第１の実施例を示す構成図である。
【図２】同トラックバックシステムのトラックバックのカテゴリの表示を示す説明図である。
【図３】同トラックバックシステムのトラックバックの編集画面を示す説明図である。
【図４】同トラックバックシステムのトラックバックの一覧を示す説明図である。
【図５】同トラックバックシステムのトラックバックの他の形式の一覧を示す説明図である。
【図６】本発明に係るトラックバックシステムの第２の実施例を示す構成図である。
【図７】同トラックバックシステムのトラックバックの編集画面を示す説明図である。
【符号の説明】
【００４７】
１，２・・・トラックバックシステム
５・・・・・通信回線
７，８・・・サーバシステム
１０・・・・サーバ
１１・・・・ブログページ表示手段
１２・・・・トラックバック通知手段
１３・・・・トラックバック表示手段
１５・・・・サーバ
１６・・・・ブログページ表示手段
１７・・・・トラックバック通知手段
１８・・・・トラックバック表示手段
２０・・・・端末
２１・・・・端末
２２・・・・端末
２３・・・・端末
２４・・・・端末
【図１】
2007004300.tif 000003
【図６】
2007004300.tif 000004
【図２】
2007004300.tif 000005
【図３】
2007004300.tif 000006
【図４】
2007004300.tif 000007
【図５】
2007004300.tif 000008
【図７】
2007004300.tif 000009